(57)【特許請求の範囲】
【請求項１】
関連する制御チャンネル、及び関連するフィードバックチャンネルを伴ったパケットデータチャンネルを適用する通信システム内で動作する遠隔局内で、改善された制御−保持モードを実行するための装置であって、
メモリ要素と、
前記メモリ要素に格納された１セットの命令を実行するように構成された処理要素と
を備え、前記命令は、
基地局からのパケットデータチャンネルの監視を停止することと、
前記基地局からのパケットデータチャンネルに関連する制御チャンネルの監視を停止することと、
逆方向リンク承認チャンネルをオフすることと、
前記遠隔局から前記基地局への送信のうち、逆方向チャネル品質表示チャンネルおよび逆方向パイロットチャンネルをゲートオフすることと、
前記パケットデータチャンネルに関連する制御チャンネルを介して断続的に送信することと
を備えた装置。
【発明の詳細な説明】
【技術分野】
【０００１】
本発明は、一般に通信に関し、更に詳しくは、逆方向リンクの負荷と、遠隔局の電力消費とを減少することに関する。
【背景技術】
【０００２】
無線通信の分野は、例えば、コードレス電話、ページング、無線ローカルループ、ＰＤＡ、インターネット電話、及び衛星通信システムを含む多くのアプリケーションを持っている。特に重要なアプリケーションは、遠隔加入者のための携帯電話システムである。ここに使われるように、「携帯」システムという用語は、携帯及びパーソナル通信サービス（ＰＣＳ：personal communications services）周波数の両方を含む。様々な空気を介したインタフェースが、例えば周波数分割多元アクセス（ＦＤＭＡ）、時分割多元アクセス（ＴＤＭＡ）、及びコード分割多元アクセス（ＣＤＭＡ）を含む携帯電話システムのために開発された。この接続において、例えば先進移動電話サービス（ＡＭＰＳ）、グローバル・システム・フォー・モバイル・コミュニケーションズ（ＧＳＭ）、及び暫定規格（ＩＳ−９５）を含む種々の国内及び国際規格が確立された。ＩＳ−９５とその派生規格であるＩＳ−９５Ａ、ＩＳ−９５Ｂ、ＡＮＳＩ  Ｊ−ＳＴＤ−００８（ここでは集合的にＩＳ−９５とも称する）、及び提案された高データレートシステムは、電信電話産業協会（ＴＩＡ：Telecommunication Industry Association）及び他の良く知られた規格によって公表されている。
【０００３】
ＩＳ−９５規格の使用に従って構成されている携帯電話システムは、ＣＤＭＡ信号処理技術を適用し、優れた効率で確実な携帯電話サービスを提供する。ＩＳ−９５規格の使用に実質的に従って構成された典型的な携帯電話システムは、米国特許番号5,103,459（特許文献１）及び4,901,307（特許文献２）に記載されている。これらは、本発明の譲受人に譲渡されており、本願に引用して援用する。ＣＤＭＡ技術を利用した典型的なシステムは、ＴＩＡによって発行されたｃｄｍａ２０００  ＩＴＵ−Ｒ  無線通信技術（ＲＴＴ）候補提案（ここではｃｄｍａ２０００と称する）である。ｃｄｍａ２０００のための規格は、ＩＳ−２０００のドラフト版で与えられ、ＴＩＡと３ＧＰＰ２によって承認されている。別のＣＤＭＡ規格は、Ｗ−ＣＤＭＡ規格である。これは、第３世代パートナーシッププロジェクト「３ＧＰＰ」文書番号3G TS 25.211（非特許文献１）、3G TS 25.212（非特許文献２）、3G TS 25.213（非特許文献３）、及び3G TS 25.214（非特許文献４）で具体化されている。
【０００４】
ここで引用されている電信電話規格は、実装可能な種々の通信システムのうちのほんの幾つかの例にすぎない。これら種々の通信システム内では、複数ユーザが、制限されたシステムリソースを共有しなければならない。実際のシステム実装に従うと、周波数帯域幅、時間、送信電力、又は拡散コード割り当てのようなリソースは、一般にシステム内の複数のユーザによって共有されねばならない。ＦＤＭＡシステムでは、システム帯域幅が多くの周波数チャンネルに分割され、それぞれの周波数チャンネルがユーザに割り当てられる。ＴＤＭＡシステムでは、システム帯域幅が多くの時間スロットに分割され、それぞれの時間スロットがユーザに割り当てられる。ＣＤＭＡシステムでは、拡散コードを用いることによって、システム帯域幅が全てのユーザに対して同時に割り当てられる。ここでは、各ユーザに拡散コードが割り当てられる。
【０００５】
ユーザ需要は、より効率的なシステムの設計および開発をもたらす。本発明は、遠隔局に対して、逆方向リンクの全体負荷と遠隔局の電力消費とを低減する改善された制御−保持モードの適用を許可することによってこの必要性に対処する。逆方向リンクは、遠隔局から基地局へと向けられた通信チャンネルからなる。順方向リンクは、基地局から、この基地局の範囲内で動作している種々の遠隔局への通信チャンネルからなる。改善された制御−保持モードで動作している遠隔局は、基地局からの順方向リンク送信のほとんどを監視しないばかりか、応答をもしないであろう。それゆえ、個々の遠隔局が、改善された制御−保持モードで動作している場合には、逆方向リンクの全体負荷が低減される。
【０００６】
更に、一旦遠隔局が改善された制御−保持モードに入ったら、順方向リンク信号を監視し、応答するために利用される処理回路の幾つかが、遠隔局の電力消費に直ちにかつ直接的にインパクトを与えるアイドル状態にされる。それゆえ、改善された制御−保持モードを提供する別のメリットは、遠隔局の電池寿命の増加にある。
【特許文献１】
米国特許番号5,103,459号
【特許文献２】
米国特許番号4,901,307号
【非特許文献１】
第３世代パートナーシッププロジェクト「３ＧＰＰ」文書番号3G TS 25.211
【非特許文献２】
第３世代パートナーシッププロジェクト「３ＧＰＰ」文書番号3G TS 25.212
【非特許文献３】
第３世代パートナーシッププロジェクト「３ＧＰＰ」文書番号3G TS 25.213
【非特許文献４】
第３世代パートナーシッププロジェクト「３ＧＰＰ」文書番号3G TS 25.214
【発明の開示】
上述した必要性に対処するための方法及び装置が開示される。ある局面では、改善された制御−保持モードを、遠隔局内で実行するための装置が開示される。ここでは、遠隔局は、関連する制御チャンネル、及び関連するフィードバックチャンネルとを伴ったパケットデータチャンネルを適用する通信システム内で動作する。そして、この装置は、メモリ要素と、処理要素とを備えている。この処理要素は、メモリ要素に格納された１セットの命令を実行するように構成されている。この命令は、基地局からのパケットデータチャンネルの監視を停止することと、基地局からのパケットデータチャンネルに関連する制御チャンネルの監視を停止することと、逆方向リンク承認チャンネルを消すことと、遠隔局から基地局への送信をゲートオフすることと、データ制御チャンネルを介して断続的に送信することとからなる。
【０００７】
別の局面では、遠隔局が改善された制御−保持モードにある場合に、アクティブセットを更新する方法が開示されている。この方法は、パイロット強度測定値を基地局に送信することと、基地局からのシグナリングメッセージを受信することと、改善された制御−保持モードからアクティブモードに移行することとを備えている。ここで、移行は、シグナリングメッセージによってトリガされる。更に、この方法は、基地局から、更新情報とともに承認メッセージを受信することと、基地局からの更新情報を用いてアクティブセットを更新することと、アクティブモードから制御−保持モードへと移行することとを備えている。
【０００８】
別の局面では、遠隔局が制御−保持モードにある間に、基地局内のセクタを切り換えるための遠隔局に対する方法が開示されている。この方法は、チャンネル品質表示チャンネルが現在ゲートオフされているかを判定することと、このチャンネル品質表示チャンネルが完全にゲートオフされていない場合には、このチャンネル品質表示チャンネルによってメッセージを別のセクタに送信することと、このチャンネル品質表示チャンネルが完全にゲートオフされている場合には、データ制御チャンネルによってシグナリングメッセージを基地局に送信することと、共通割当チャンネルによって順方向リンク承認メッセージを受信することと、別のセクタに切り換えることと、データ制御チャンネルによって逆方向リンク承認メッセージを送信することとを備えている。
【０００９】
別の局面では、改善された制御−保持モードからアクティブモードに移行するための方法が開示されている。ここで、移行は、遠隔局によって開始される。この方法は、改善された制御−保持モードにある場合には、シグナリングメッセージを逆方向データ制御チャンネルを介して基地局に送信することと、チャンネル品質表示チャンネルを介した基地局への連続的な送信を開始することと、順方向パケットデータチャンネルとそれに関連する制御チャンネルの監視を開始することと、順方向パケットデータチャンネルを介して承認信号を受信することと、アクティブモードに対応して逆方向リンク送信を開始することとを備えている。
【００１０】
別の局面では、改善された制御−保持モードからアクティブモードへと遠隔局を移行させる方法が開示されている。ここで、この移行は、基地局によって開始される。この方法は、シグナリングメッセージを順方向共通割当チャンネルを介して遠隔局へ送信することを含む。すると、このシグナリングメッセージは、遠隔局から承認信号が受信されるまで繰り返し送信される。この方法は更に、承認メッセージを逆方向データ制御チャンネルを介して遠隔局から基地局へと送信することと、遠隔局において、順方向パケットデータチャンネルと、関連する制御チャンネルとの監視を開始することとを含む。
【発明を実施するための最良の形態】
【００１１】
図１に示すように、無線通信ネットワーク１０は一般に、複数の移動局（遠隔局、加入者ユニット、又はユーザ機器とも呼ばれる）１２ａ〜１２ｄと、複数の基地局（基地局トランシーバ（ＢＴＳ）又はノードＢとも呼ばれる）１４ａ〜１４ｃと、基地局コントローラ（ＢＳＣ）（無線ネットワークコントローラ又はパケット制御機能１６とも呼ばれる）と、移動切換センタ（ＭＳＣ）又はスイッチ１８と、パケットデータ提供ノード（ＰＤＳＮ）又はインターワーキング機能（ＩＷＦ）２０と、公衆切換電話ネットワーク（ＰＳＴＮ）２２（典型的には電話会社）と、インターネットプロトコル（ＩＰ）ネットワーク２４（典型的にはインターネット）とを含む。簡略のために、４つの移動局１２ａ〜１２ｄと、３つの基地局１４ａ〜１４ｃと、１つのＢＳＣ１６と、１つのＭＳＣ１８と、１つのＰＤＳＮ２０とが示されている。当業者であれば、あらゆる数の移動局１２、基地局１４、ＢＳＣ１６、ＭＳＣ１８、及びＰＤＳＮ２０がありうることが理解されよう。
【００１２】
ある実施例では、無線通信ネットワーク１０は、パケットデータサービスネットワークである。移動局１２ａ〜１２ｄは、あらゆる数の異なる種類の無線通信デバイスであるか、または、固定位置通信モジュールでありうる。無線通信デバイスとしては、例えば、ポータブル電話、ＩＰベースのウェブブラウザアプリケーションで動作しているラップトップコンピュータに接続された携帯電話、ハンドフリーカーキットに対応した携帯電話、ＩＰベースのウェブブラウザアプリケーションで動作しているＰＤＡ、ポータブルコンピュータに組み込まれた無線通信モジュール又は固定位置通信モジュールがある。固定位置通信モジュールは、無線ローカルループまたはメータ読み取りシステムで見られうる。 最も一般的な実施例では、移動局は、如何なる種類の通信ユニットでありうる。
【００１３】
移動局１２ａ〜１２ｄは、例えば、ＥＩＡ／ＴＩＡ／ＩＳ−７０７規格に記載されたような一つ以上の無線パケットデータプロトコルを実行するのに有利に構成される。特定の実施例において、移動局１２ａ〜１２ｄは、ＩＰネットワーク２４に向けられたＩＰパケットを生成し、ポイントトゥポイントプロトコル（ＰＰＰ）を使ってＩＰパケットをフレームにカプセル化する。
【００１４】
ある実施例では、ＩＰネットワーク２４はＰＤＳＮ２０に接続され、ＰＤＳＮ２０はＭＳＣ１８に接続され、ＭＳＣはＢＳＣ１６とＰＳＴＮ２２に接続され、ＢＳＣ１６は、例えばＥ１、Ｔ１、非同期転送モード（ＡＴＭ：Asynchronous Transfer Mode）、ＩＰ、ＰＰＰ、フレームリレイ、ＨＤＳＬ、ＡＤＳＬ、又はｘＤＳＬを含むいくつかの公知のプロトコルのうちに何れかに従って音声及び／又はデータパケットを送信するために構成された有線を経由して基地局１４ａ〜１４ｃに接続されている。別の実施例では、ＢＳＣ１６はＰＤＳＮ２０に直接接続され、ＭＳＣ１８はＰＤＳＮ２０に接続されていない。
【００１５】
無線通信ネットワーク１０の典型的な動作の間に、基地局１４ａ〜１４ｃは、電話呼出、ウェブブラウジング、又は他のデータ通信を行っている種々の移動局１２ａ〜１２ｄからの逆方向信号のセットを受信し、復調する。与えられた基地局１４ａ〜１４ｃによって受信された各逆方向信号は、基地局１４ａ〜１４ｃ内で処理される。各基地局１４ａ〜１４ｃは、順方向信号のセットを変調し、それを移動局１２ａ〜１２ｄに送信することによって、複数の移動局１２ａ〜１２ｄと通信する。例えば、図１に示すように、基地局１４ａは、第１及び第２の移動局１２ａ，１２ｂと同時に通信し、基地局１４ｃは、第３及び第４の移動局１２ｄ，１２ｄと同時に通信する。結果として生じるパケットは、ＢＳＣ１６に転送される。ＢＳＣ１６は、呼出リソース割当と、特定の移動局１２ａ〜１２ｄの一つの基地局１４ａ〜１４ｃから、他の基地局１４ａ〜１４ｃへの呼出のソフトハンドオフの統合を含む移動管理機能とを提供する。例えば、移動局１２ｃは、２つの基地局１４ｂ，１４ｃと同時に通信している。結局、移動局１２ｃが、基地局１４ｃの一つから十分に離れて移動する場合には、呼出は、他の基地局１４ｂにハンドオフされる。
【００１６】
もしも、送信が、従来の電話呼出であれば、ＢＳＣ１６は、受信したデータをＭＳＣ１８にルーティングする。ＭＳＣ１８は、ＰＳＴＮ２２とのインタフェースのために追加のルーティングサービスを提供する。もしもこの送信が、ＩＰネットワーク２４に向けられたデータ呼出のようなパケットベースの送信であれば、ＭＳＣ１８は、このデータパケットをＰＤＳＮ２０にルーティングする。ＰＤＳＮ２０は、このパケットをＩＰネットワーク２４に送る。その代わりに、ＢＳＣ１６は、このパケットをＰＤＳＮ２０に直接ルーティングし、ＰＤＳＮ２０は、このパケットをＩＰネットワーク２４に送る。
【００１７】
幾つかの通信システムにおいて、データトラフィックを搬送しているパケットは、送信チャンネルのスロットを占めているサブパケットに分割される。説明を容易にするのみの目的で、ここではｃｄｍａ２０００システムという用語が使用される。この使用は、本実施例の実装が、ｃｄｍａ２０００システムに限定されることを意図しているものではない。実施例は、ここで記載された実施例の範囲に影響を与えることなく、例えばＷＣＤＭＡのような他のシステムにも適用することができる。
【００１８】
基地局から、この基地局の範囲内で動作している遠隔局への順方向リンクは、複数のチャンネルを含むことができる。順方向リンクのチャンネルの幾つかは、これに限定される訳ではないが、パイロットチャンネル、同期チャンネル、ページングチャンネル、クイックページングチャンネル、放送チャンネル、電力制御チャンネル、割当チャンネル、制御チャンネル、専用制御チャンネル、媒体アクセス制御（ＭＡＣ）チャンネル、基本チャンネル、補足チャンネル、補足コードチャンネル、及びパケットデータチャンネルを含むことができる。遠隔局から基地局への逆方向リンクもまた複数のチャンネルを含む。逆方向リンクのチャンネルの幾つかは、これに限定される訳ではないが、パイロットチャンネル、電力制御チャンネル、割当チャンネル、制御チャンネル、専用制御チャンネル、媒体アクセス制御（ＭＡＣ）チャンネル、基本チャンネル、補足チャンネル、承認チャンネル、及びチャンネル品質表示チャンネルを含むことができる。
【００１９】
各チャンネルは、異なる種類の情報を、目的とする宛先に搬送する。一般に、音声トラフィックは基本チャンネルで搬送され、データトラフィックは補足チャンネル又はパケットデータチャンネルで搬送される。補足チャンネルは通常は専用チャンネルである。一方、パケットデータチャンネルは通常は、時間及びコード多重化された方法で、異なる参加者に対して割り当てられた信号を搬送する。あるいは、パケットデータチャンネルはまた、共有された補足チャンネルとしても表される。
【００２０】
音声トラフィック及びデータトラフィックは、一般に順方向又は逆方向何れかのリンクの送信前に符号化され、変調され、更に拡散される。この符号化、変調、及び拡散は、様々なフォーマットで実施することができる。ＣＤＭＡシステムでは、送信フォーマットは究極的には、音声トラフィックとデータトラフィックとが送信されているチャンネルの種類と、フェージング及び干渉に関して記載することができるチャンネルの条件とに依存する。送信パラメータは、時々送信するために、又はデータトラフィック送信が生じるごとに送信するために実現される一つまたは幾つかの別個の制御チャンネルを介して搬送することができる。送信パラメータを受信することによって、デコーダは、ある内部要素の符号化及び復調の設定を、適切な設定に迅速にリセットすることが可能となる。更に、制御チャンネルで送信パラメータを受信することは、デコーダが、データトラフィックチャンネルによる別の送信パラメータのために、時間を浪費し、且つリソースを浪費する計算を実行する必要はないことを意味する。
【００２１】
制御チャンネル及びデータトラフィックチャンネルに加えて、承認（ＡＣＫ）チャンネル及びチャンネル品質表示（ＣＱＩ）チャンネルのような２つのフィードバックチャンネルもまた実施することができる。ｃｄｍａ２０００  １ｘＥＶＤＶシステムにおけるＡＣＫチャンネルは、データトラフィックチャンネルによるデータサブパケットの受信を直接的に承認するために、逆方向リンクにおいて使用される。ＡＣＫチャンネルは、変調されたバイナリ位相シフトキー（ＢＰＳＫ）である。ここで、０か１かのいずれかである１ビットは、サブパケットが正確に復号されたか否かを示す。ＣＱＩチャンネルは、制御チャンネルによる新たな送信パラメータメッセージのための必要性をシグナルするために使用される。チャンネル品質フィードバックチャンネルは、遠隔局によって、最良の、動作中セクタのチャンネル品質測定値を基地局に運ぶために使用される。チャンネル品質は、キャリア・イン・インタフェース（Ｃ／Ｉ）比の項において測定され、受信された順方向リンク信号に基づいている。
【００２２】
ｃｄｍａ２０００  １×システムでは、遠隔局は、アイドルモードか、アクティブモードかの何れかに存在する。アイドルモードでは、移動局は、呼出を維持していないが、呼出を受信する準備ができている。アクティブモードでは、移動局は、呼出を維持している。アクティブモードでは、遠隔局は、制御−保持モードと呼ばれるサブ状態に入ることができる。ここでは、通常はアクティブモードで動作する基本チャンネルが、ゲートされた逆方向リンクパイロットを伴ったデータ制御チャンネル（ＤＣＣＨ）と交換される。制御−保持モードのこのバージョンでは、遠隔局は、ユーザデータトラフィックを送ることも、受信することもできない。遠隔局は、制御チャンネルで、シグナリングメッセージを送るか、または受信するかのみである。
【００２３】
本実施例は、遠隔局の処理要求を低減するように設計された、改善された制御−保持モードに向けられている。改善された制御−保持モードは、遠隔局が、アイドルモードに入ることなく入ることができる状態である。これによって、遠隔局は、種々の順方向リンクチャンネルの監視を止め、種々の逆方向リンクチャンネルでの送信を止めることができる。アイドルモードに入ることは望ましいことではない。というのも、アイドルモードに入った遠隔局は、基地局に対して既に設定されている通信チャンネルを解放しなくてはならないからである。アクティブモードに再び入るために、遠隔局は、時間を浪費する通信チャンネルを再確立する必要はないであろう。
【００２４】
改善された制御−保持モードの属性は、次の通りである。１．順方向２次パケットデータ制御チャンネル（Ｆ−ＳＰＤＣＣＨ：The forward secondary packet data control channel）は、監視されない。２．順方向主要パケットデータ制御チャンネル（Ｆ−ＰＰＤＣＣＨ：The forward primary packet data control channel）は、監視されない。３．パケットデータチャンネル（ＰＤＣＨ：The packet data channel）は監視されない。４．順方向承認チャンネル（Ｆ−ＡＣＫＣＨ：The forward acknowledgment channel）は、監視されない。５．逆方向承認チャンネル（Ｒ−ＡＣＫＣＨ：The reverse acknowledgment channel）は、消される。６．逆方向チャンネル品質表示チャンネル（Ｒ−ＣＱＩＣＨ：The reverse channel quality indicator channel）は、０，１／１６，１／８，１／４，及び１／２のようなシステム定義されたデューティーサイクルでゲートオフされる。７．逆方向パイロットチャンネル（Ｒ−ＰＩＣＨ：The reverse pilot channel）は、システム定義されたデューティーサイクルでゲートオフされる。８．逆方向データ制御チャンネル（Ｒ−ＤＣＣＨ：The reverse data control channel）は、断続的な送信モードに維持される。９．修正順方向共通割当チャンネル（Ｆ−ＣＡＣＨ：The modified forward common assignment channel）は、連続的に監視される。１０．遠隔局のアクティブセットにおける全ての基地局は、遠隔局のための順方向共通電力制御チャンネル（Ｆ−ＣＰＣＣＨ：forward common power control channel）サブチャンネルを維持する。Ｆ−ＣＰＣＣＨサブチャンネルは、逆方向パイロットチャンネル（Ｒ−ＰＩＣＨ：the reverse pilot channel）と同じレートでゲートオフされる。１１．Ｆ−ＣＰＣＣＨとＲ−ＰＩＣＨとを用いて、遠隔局と基地局との間の電力制御ループを維持している。あるいは、Ｆ−ＣＰＣＣＨとＲ−電力制御サブチャンネルとを用いて、遠隔局と基地局との間の電力制御ループを維持している。
【００２５】
「ハンドオフ」及びＢＴＳ内のセル切り換えのような様々な状況における様々なデータトラフィックチャンネル、制御チャンネル、及びフィードバックチャンネル間の複雑な相互作用のために、改善された制御−保持モードを実現することは容易なことではない。「ハンドオフ」という用語は、遠隔局における「アクティブな設定」を更新する処理に当たる。ＢＴＳ内のセル切り換えは、ＢＴＳまたは基地局のある動作中セクタを、別のＢＴＳの動作中セクタに交換する処理に当たる。
【００２６】
図２は、改善された制御−保持モードにおけるハンドオフ処理のフローチャートである。プロセッサとメモリ要素は、ハンドオフ処理を行う命令を実行するように構成することができる。ハンドオフを実行するための一般的な実務は、基地局候補から受信された信号（通常はパイロット信号）の送信エネルギーレベルを識別し、これら基地局候補を少なくとも４つのセットに分類することである。これらのセットの中で、アクティブなセットは、ここで説明された実施例において興味を引く。アイドルモードでは、アクティブなセットは、遠隔局のために動作している基地局を含むセットである。アクティブモードでは、アクティブなセットは、情報が遠隔局によってアクティブに復調され復号される全ての基地局を含むセットである。
【００２７】
ステップ２００では、遠隔局は、Ｒ−ＤＣＣＨで、パイロット強度測定値メッセージ（ＰＳＭＭ：pilot strength measurement message）を、基地局へと送信する。
【００２８】
ステップ２１０では、基地局は、シグナリングメッセージを遠隔局へと送信する。ここで、シグナリングメッセージは、改善された制御−保持モードから、アクティブモードへの遠隔局の移行をトリガする。このシグナリングメッセージは、ＦＣＡＣＨによってリソース割当ミニメッセージを送信する場合に可能なように保証された方法で送信されるべきである。
【００２９】
ステップ２２０では、遠隔局が、Ｒ−ＤＣＣＨで、レイヤ２承認メッセージを基地局に送信し、改善された制御−保持モードからアクティブモードに移行させる。
【００３０】
ステップ２３０では、基地局が、ユニバーサルハンドオフ方向メッセージ（ＵＨＤＭ：Universal Hand-Off Direction Message）をＦ−ＰＤＣＨで遠隔局に送る。このＵＨＤＭメッセージは、遠隔局がアクティブセットを更新することを可能にする情報を送る。
【００３１】
ステップ２４０では、遠隔局が、ＵＨＤＭメッセージが向けられるとアクティブセットを更新し、アクティブモードから、改善された制御−保持モードへと移行させる。このステップにおけるアクティブモードから、改善された制御−保持モードへの移行時間は、ＵＨＤＭメッセージによって運ばれたシステム定義されたパラメータであるかもしれない。あるいは、この移行時間は、遠隔局によって格納された予め定めた期間かもしれない。
【００３２】
ステップ２５０では、遠隔局が、基地局へとシグナリングメッセージを送信する。ここで、シグナリングメッセージは、ＵＨＤＭメッセージの受領を承認するためのものである。ある実施例では、このシグナリングメッセージは、Ｒ−ＤＣＣＨで送信されたハンドオフ完了メッセージであるかもしれない。
【００３３】
図３は、遠隔局が、改善された制御−保持モードにある場合に実現することができるＢＴＳ内セル切換処理のフローチャートである。プロセッサとメモリ要素とは、この処理を実行するための命令を実行させるように構成することができる。ステップ３００では、遠隔局は、Ｒ−ＣＱＩＣＨが完全にゲートオフされたか否かを判定する。もしＲ−ＣＱＩＣＨが、完全にゲートオフされていない場合には、ステップ３０５において、遠隔局は、Ｒ−ＣＱＩＣＨでメッセージを目標ＢＴＳに送信する。
【００３４】
ステップ３１０では、もしもＲ−ＣＱＩＣＨが完全にゲートオフされた場合には、遠隔局は、Ｒ−ＤＣＣＨでシグナリングメッセージを基地局に送信する。ここで、シグナリングメッセージは、切り換える遠隔局の準備についての情報を、別のＢＴＳのセルに運ぶ。
【００３５】
ステップ３２０では、基地局は、ステップ３１０で送信されたメッセージを承認するシグナリングメッセージを送信する。このシグナリングメッセージは、Ｒ−ＣＡＣＨで搬送されうる。
【００３６】
ステップ３３０では、遠隔局が、Ｒ−ＤＣＣＨで承認メッセージを送信し、新たなセルに切り換える。
【００３７】
前の実施例は、改善された制御−保持モードにある間に遠隔局で実行できる処理を記載している。その次の実施例は、改善された制御−保持モードから出る移行に従う処理を記載している。ある処理では、改善された制御−保持モードからアクティブモードへの移行は、遠隔局によって開始される。別の処理では、改善された制御−保持モードからアクティブモードへの移行は、基地局によって開始される。
【００３８】
図４は、遠隔局が、移行を開始した時に、続くことができる処理を示すフローチャートである。プロセッサ及びメモリ要素は、この処理を実行するための命令を実行するように構成することができる。ステップ４００では、遠隔局が、Ｒ−ＤＣＣＨを介してシグナリングメッセージを送る。
【００３９】
ステップ４１０では、遠隔局が、Ｒ−ＣＱＩＣＨで連続的に送信することを開始する。
【００４０】
ステップ４２０では、遠隔局が、Ｆ−ＳＰＤＣＣＨとＦ−ＰＤＣＨとの監視を開始し、Ｒ−ＡＣＫＣＨをオンする。ある実施例では、遠隔局の送信電力は、電力制御された逆方向パイロットと、予め定めたトラフィック対パイロット（Ｔ／Ｐ）比とに基づいて設定される。
【００４１】
ステップ４３０では、遠隔局によって宛先とされた基地局は、Ｆ−ＰＤＣＨを介して承認メッセージを遠隔局へ送信する。その代わりに、媒体アクセス制御識別子ＭＡＣ＿ＩＤを含む承認メッセージは、Ｆ−ＣＡＣＨを介して送信することができる。
【００４２】
ステップ４４０では、宛先基地局からの承認を受信した後、遠隔局は、逆方向リンクで送信を開始する。予め定めた時間期間内に遠隔局が基地局から承認を受信しない場合には、ステップ４５０において、遠隔局は、Ｒ−ＤＣＣＨを使ってシグナリングメッセージを再送信する。
【００４３】
図５は、改善された制御−保持モードからアクティブモードへの移行のための処理を示すフローチャートである。これは、基地局が開始者である場合に適用することができる。プロセッサ及びメモリ要素は、この処理を実行するための命令を実行するように構成することができる。ステップ５００では、基地局が、宛先遠隔局へシグナリングメッセージを送信する。このシグナリングメッセージは、ＭＡＣ＿ＩＤを含み、Ｆ−ＣＡＣＨを介して送られる。
【００４４】
Ｆ−ＣＡＣＨの送信電力は、維持された電力制御ビット電力レベルに基づいている。前に述べたように、遠隔局と基地局との間の電力制御ループは維持される。その一方、遠隔局は、改善された制御−保持モードにある。
【００４５】
ステップ５１０では、宛先遠隔局は、一旦シグナリングメッセージが受信されると、Ｒ−ＤＣＣＨを介して承認メッセージを送る。
【００４６】
ステップ５２０では、宛先遠隔局は、Ｒ−ＣＱＩＣＨとＲ−ＡＣＫＣＨとをオンし、Ｆ−ＳＰＤＣＣＨとＦ−ＰＤＣＨとの監視を開始する。
【００４７】
ステップ５３０では、基地局が、新たに動作したＲ−ＣＱＩＣＨでの送信を検出し、それにしたがって、宛先遠隔局へのデータ送信をスケジュールする。ステップ５１０において、もしも基地局が、遠隔局から送信された承認を受信しないのであれば、基地局は、承認が受信されるまで、シグナリングメッセージを送信し続ける。
【００４８】
当業者であれば、これら情報および信号が、種々異なった技術や技法を用いて表されることを理解するであろう。例えば、上述した記載で引用されているデータ、指示、命令、情報、信号、ビット、シンボル、およびチップは、電圧、電流、電磁波、磁場または磁性粒子、光学場または光学微粒子、あるいはこれら何れかの結合によって表現されうる。
【００４９】
これらの知識によって、ここで開示された実施例に関連する様々に例示された論理ブロック、モジュール、回路、およびアルゴリズムステップが、電子工学ハードウェア、コンピュータソフトウェア、あるいはこれらの組み合わせとして適用されることが更に理解されよう。ハードウェアとソフトウェアとの相互互換性を明確に説明するために、様々に例示された部品、ブロック、モジュール、回路、およびステップが、それらの機能に関して一般的に記述された。それら機能がハードウェアとしてあるいはソフトウェアとして適用されているかは、特有の応用例および全体システムに課せられている設計条件による。熟練した技術者であれば、各特定のアプリケーションに応じて変更することによって上述した機能を実施しうる。しかしながら、この適用判断は、本発明の範囲から逸脱したものと解釈すべきではない。
【００５０】
様々に示された論理ブロック、モジュール、および上述された実施例に関連して記載された回路もまた実装され、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）またはその他のプログラマブル論理デバイス、ディスクリートゲートあるいはトランジスタ論理、ディスクリートハードウェア部品、あるいは上述された機能を実現するために設計された何れかの組み合わせとともに実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはその他の配置のような計算デバイスの組み合わせとして実装することも可能である。
【００５１】
ここで開示された実施例に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭ、フラッシュメモリ、ＲＯＭ、ＥＰＲＯＭ、ＥＥＰＲＯＭ、レジスタ、ハードディスク、リムーバブルディスク、ＣＤ−ＲＯＭ、あるいは当該技術分野で知られているその他の型式の記憶媒体に収納されうる。好適な記憶媒体は、プロセッサがそこから情報を読み取り、またそこに情報を書き込むことができるようにプロセッサに結合される。または、記憶媒体はプロセッサに不可欠となりうる。このプロセッサと記憶媒体は、ＡＳＩＣに収納することができる。ＡＳＩＣは、ユーザ端末内に収納することもできる。または、このプロセッサと記憶媒体が、ユーザ端末におけるディスクリートな部品として収納されることもある。
【００５２】
開示された実施例における上述の記載は、いかなる当業者であっても、本発明の活用または利用を可能とするようになされている。これらの実施例への様々な変形例もまた、当業者に対しては明らかであって、ここで定義された一般的な原理は、本発明の主旨または範囲を逸脱することなく他の実施例にも適用されうる。このように、本発明は、上記で示された実施例に制限されるものではなく、ここで記載された原理と新規の特徴に一致した広い範囲に相当するものを意図している。
【図面の簡単な説明】
【００５３】
【図１】無線通信ネットワークを示す図である。
【図２】改善された制御−保持モードにおける遠隔局のためのハンドオフ処理を示すフローチャートである。
【図３】改善された制御−保持モードにおける遠隔局のためのＢＴＳ内セル切換処理を示すフローチャートである。
【図４】改善された制御−保持モードからアクティブモードへの移行の処理（遠隔局によって行われる）を示すフローチャートである。
【図５】改善された制御−保持モードからアクティブモードへの移行の処理（基地局によって行われる）を示すフローチャートである。
【符号の説明】
【００５４】
１０…無線通信ネットワーク、１２…移動局、１４…基地局、１６…ＢＳＣ、１８…ＭＳＣ、２０…インターワーキング機能、２２…公衆切換電話ネットワーク、２４…インターネットプロトコルネットワーク
【図１】
0004401781.tif 000002
【図２】
0004401781.tif 000003
【図３】
0004401781.tif 000004
【図４】
0004401781.tif 000005
【図５】
0004401781.tif 000006